【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
冷媒を圧縮して吐出する圧縮機（１１）と、
前記圧縮機から吐出された高圧冷媒を熱源として熱交換対象流体を加熱する第１熱交換部（２０）と、
前記第１熱交換部から流出した冷媒を減圧させる減圧部（１３、６２、６３）と、
前記減圧部にて減圧された冷媒を低段側熱媒体と熱交換させて蒸発させる熱媒体蒸発器（１５）と、
前記低段側熱媒体を循環させる低段側熱媒体循環回路（３０）に配置されて前記低段側熱媒体を加熱する発熱部（３４）と、
前記発熱部にて加熱された前記低段側熱媒体を熱源として前記熱交換対象流体を加熱する第２熱交換部（３９）と、
前記低段側熱媒体が前記熱媒体蒸発器に流入する流量および前記低段側熱媒体が前記第２熱交換部に流入する流量を調整する流量調整部（３５）と、
前記流量調整部の作動を制御する流量制御部（５０ｃ）と、
前記発熱部の発熱量を制御する発熱量制御部（５０ｂ）と、
前記第１熱交換部から流出した冷媒と外気とを熱交換させる室外熱交換器（６１）と、を有し、
前記発熱量制御部は、前記第２熱交換部にて前記熱交換対象流体を冷却する冷却モードでは、前記発熱部における発熱を停止させるように前記発熱部の作動を制御し、
前記流量制御部は、
前記第１熱交換部にて前記熱交換対象流体を加熱する第１加熱モードでは、前記発熱部にて加熱された前記低段側熱媒体を前記熱媒体蒸発器に流入させるように前記流量調整部の作動を制御し、
前記第２熱交換部にて前記熱交換対象流体を加熱する第２加熱モードでは、前記発熱部にて加熱された前記低段側熱媒体を前記第２熱交換部に流入させるように前記流量調整部の作動を制御し、
前記冷却モードでは、前記熱媒体蒸発器にて冷却された前記低段側熱媒体を前記第２熱交換部に流入させるように前記流量調整部の作動を制御する冷凍サイクル装置。
【請求項２】
前記減圧部にて減圧された冷媒を外気と熱交換させて蒸発させる外気蒸発部（１８）と、
前記外気蒸発部において着霜が生じているか否か判定する着霜判定部（５０ｄ）と、を有し、
前記発熱量制御部は、前記着霜判定部によって前記外気蒸発部における着霜が生じていると判定された場合に、前記発熱部における発熱量を増加させる請求項１に記載の冷凍サイクル装置。
【請求項３】
冷媒を圧縮して吐出する圧縮機（１１）と、
前記圧縮機から吐出された高圧冷媒を熱源として熱交換対象流体を加熱する第１熱交換部（２０）と、
前記第１熱交換部から流出した冷媒を減圧させる減圧部（１３、６２、６３）と、
前記減圧部にて減圧された冷媒を低段側熱媒体と熱交換させて蒸発させる熱媒体蒸発器（１５）と、
前記低段側熱媒体を循環させる低段側熱媒体循環回路（３０）に配置されて前記低段側熱媒体を加熱する発熱部（３４）と、
前記発熱部にて加熱された前記低段側熱媒体を熱源として前記熱交換対象流体を加熱する第２熱交換部（３９）と、
前記低段側熱媒体が前記熱媒体蒸発器に流入する流量および前記低段側熱媒体が前記第２熱交換部に流入する流量を調整する流量調整部（３５）と、
前記流量調整部の作動を制御する流量制御部（５０ｃ）と、
前記減圧部にて減圧された冷媒を外気と熱交換させて蒸発させる外気蒸発部（１８）と、
前記発熱部の発熱量を制御する発熱量制御部（５０ｂ）と、
前記外気蒸発部において着霜が生じているか否か判定する着霜判定部（５０ｄ）と、を有し、
前記流量制御部は、
前記第１熱交換部にて前記熱交換対象流体を加熱する第１加熱モードでは、前記発熱部にて加熱された前記低段側熱媒体を前記熱媒体蒸発器に流入させるように前記流量調整部の作動を制御し、
前記第２熱交換部にて前記熱交換対象流体を加熱する第２加熱モードでは、前記発熱部にて加熱された前記低段側熱媒体を前記第２熱交換部に流入させるように前記流量調整部の作動を制御し、
前記発熱量制御部は、前記着霜判定部によって前記外気蒸発部における着霜が生じていると判定された場合に、前記発熱部における発熱量を増加させる冷凍サイクル装置。
【請求項４】
冷媒を圧縮して吐出する圧縮機（１１）と、
前記圧縮機から吐出された高圧冷媒を熱源として熱交換対象流体を加熱する第１熱交換部（２０）と、
前記第１熱交換部から流出した冷媒を減圧させる減圧部（１３、６２、６３）と、
前記減圧部にて減圧された冷媒を低段側熱媒体と熱交換させて蒸発させる熱媒体蒸発器（１５）と、
前記低段側熱媒体を循環させる低段側熱媒体循環回路（３０）に配置されて前記低段側熱媒体を加熱する発熱部（３４）と、
前記発熱部にて加熱された前記低段側熱媒体を熱源として前記熱交換対象流体を加熱する第２熱交換部（３９）と、
前記低段側熱媒体が前記熱媒体蒸発器に流入する流量および前記低段側熱媒体が前記第２熱交換部に流入する流量を調整する流量調整部（３５）と、
前記流量調整部の作動を制御する流量制御部（５０ｃ）と、を有し、
前記第１熱交換部は、高段側熱媒体を循環させる高段側熱媒体循環回路（２１）と、前記高圧冷媒と前記高段側熱媒体と熱交換させる凝縮器（１２）と、前記高段側熱媒体と前記熱交換対象流体とを熱交換させるヒータコア（２３）と、を備えており、
さらに、前記減圧部にて減圧された冷媒を外気と熱交換させて蒸発させる外気蒸発部（１８）と、
前記低段側熱媒体を前記高段側熱媒体循環回路へ導く接続流路（７１）と、
前記接続流路を介して前記高段側熱媒体循環回路へ導入される前記低段側熱媒体の導入量を調整する導入量調整部（７３）と、
前記導入量調整部の作動を制御する導入量制御部（５０ｅ）と、
前記外気蒸発部において着霜が生じているか否かを判定する着霜判定部（５０ｄ）と、を有し、
前記流量制御部は、
前記第１熱交換部にて前記熱交換対象流体を加熱する第１加熱モードでは、前記発熱部にて加熱された前記低段側熱媒体を前記熱媒体蒸発器に流入させるように前記流量調整部の作動を制御し、
前記第２熱交換部にて前記熱交換対象流体を加熱する第２加熱モードでは、前記発熱部にて加熱された前記低段側熱媒体を前記第２熱交換部に流入させるように前記流量調整部の作動を制御し、
前記導入量調整部は、前記着霜判定部によって前記外気蒸発部において着霜が生じていると判定された場合に、前記導入量を増加させる冷凍サイクル装置。
【請求項５】
前記圧縮機の冷媒吐出能力を制御する吐出能力制御部（５０ａ）を有し、
前記吐出能力制御部は、前記着霜判定部によって前記外気蒸発部において着霜が生じていると判定された場合に、前記冷媒吐出能力を低下させる請求項２ないし４のいずれか一つに記載の冷凍サイクル装置。
【請求項６】
前記流量調整部は、電力が供給されることによって作動する電磁弁であり、
前記流量調整部は、通電されていない場合に、前記低段側熱媒体の全量が前記第２熱交換部に流入するように構成されている請求項１ないし５のいずれか一つに記載の冷凍サイクル装置。
【請求項７】
冷媒を圧縮して吐出する圧縮機（１１）と、
前記圧縮機から吐出された高圧冷媒を熱源として熱交換対象流体を加熱する第１熱交換部（２０）と、
前記第１熱交換部から流出した冷媒を減圧させる減圧部（１３、６２、６３）と、
前記減圧部にて減圧された冷媒を低段側熱媒体と熱交換させて蒸発させる熱媒体蒸発器（１５）と、
前記低段側熱媒体を循環させる低段側熱媒体循環回路（３０）に配置されて前記低段側熱媒体を加熱する発熱部（３４）と、
前記発熱部にて加熱された前記低段側熱媒体を熱源として前記熱交換対象流体を加熱する第２熱交換部（３９）と、
前記低段側熱媒体が前記熱媒体蒸発器に流入する流量および前記低段側熱媒体が前記第２熱交換部に流入する流量を調整する流量調整部（３５）と、
前記流量調整部の作動を制御する流量制御部（５０ｃ）と、を有し、
前記流量制御部は、電力が供給されることによって作動する電磁弁であり、
前記流量調整部は、通電されていない場合に、前記低段側熱媒体の全量が前記第２熱交換部に流入するように構成されており、
前記流量制御部は、
前記第１熱交換部にて前記熱交換対象流体を加熱する第１加熱モードでは、前記発熱部にて加熱された前記低段側熱媒体を前記熱媒体蒸発器に流入させるように前記流量調整部の作動を制御し、
前記第２熱交換部にて前記熱交換対象流体を加熱する第２加熱モードでは、前記発熱部にて加熱された前記低段側熱媒体を前記第２熱交換部に流入させるように前記流量調整部の作動を制御する冷凍サイクル装置。
【請求項８】
前記流量制御部は、
前記第２熱交換部にて加熱された前記熱交換対象流体を前記第１熱交換部にて加熱する第３加熱モードでは、前記発熱部にて加熱された前記低段側熱媒体を前記熱媒体蒸発器及び前記第２熱交換部の両方に流入させるように前記流量調整部の作動を制御する請求項１ないし７のいずれか一つに記載の冷凍サイクル装置。
【請求項９】
前記第１熱交換部は、前記高圧冷媒と前記熱交換対象流体とを熱交換させる室内凝縮器（２５）を有している請求項１ないし３のいずれか一つに記載の冷凍サイクル装置。
【請求項１０】
前記第１熱交換部は、
高段側熱媒体を循環させる高段側熱媒体循環回路（２１）と、
前記高圧冷媒と前記高段側熱媒体と熱交換させる凝縮器（１２）と、前記高段側熱媒体と前記熱交換対象流体とを熱交換させるヒータコア（２３）と、を有している請求項１ないし３のいずれか一つに記載の冷凍サイクル装置。
【請求項１１】
冷媒を圧縮して吐出する圧縮機（１１）と、
前記圧縮機から吐出された高圧冷媒と熱媒体とを熱交換させて前記熱媒体を加熱する凝縮器（１２）と、
前記凝縮器から流出した冷媒を減圧させる減圧部（５５）と、
前記減圧部にて減圧された冷媒を前記熱媒体と熱交換させて蒸発させる熱媒体蒸発器（１５）と、
前記熱媒体を加熱する発熱部（３４）と、
前記凝縮器にて加熱された前記熱媒体及び前記発熱部にて加熱された前記熱媒体の少なくとも一方を熱源として熱交換対象流体を加熱するヒータコア（２３）と、
前記発熱部にて加熱された前記熱媒体が前記熱媒体蒸発器に流入する流量および前記発熱部にて加熱された前記熱媒体が前記ヒータコアに流入する流量を調整する流量調整部（３５）と、
前記流量調整部の作動を制御する流量制御部（５０ｃ）と、
前記減圧部にて減圧された冷媒を外気と熱交換させて蒸発させる外気蒸発部（１８）と、
前記外気蒸発部において着霜が生じているか否かを判定する着霜判定部（５０ｄ）と、を有し、
前記流量制御部は、
前記凝縮器にて加熱された前記熱媒体を熱源として前記熱交換対象流体を加熱する冷凍サイクル加熱モードでは、前記発熱部にて加熱された前記熱媒体を前記熱媒体蒸発器に流入させるように前記流量調整部の作動を制御し、
前記発熱部にて加熱された前記熱媒体を熱源として前記熱交換対象流体を加熱する熱源加熱モードでは、前記発熱部にて加熱された前記熱媒体を前記ヒータコアに流入させるように前記流量調整部の作動を制御し、
前記着霜判定部によって前記外気蒸発部において着霜が生じていると判定された場合に、前記発熱部にて加熱された前記熱媒体の前記ヒータコアへの流入量を増加させるように前記流量調整部の作動を制御する冷凍サイクル装置。
【手続補正２】
【補正対象書類名】明細書
【補正対象項目名】０００８
【補正方法】変更
【補正の内容】
【０００８】
上記目的を達成するために、請求項１に記載の冷凍サイクル装置は、冷媒を圧縮して吐出する圧縮機（１１）と、圧縮機から吐出された高圧冷媒を熱源として熱交換対象流体を加熱する第１熱交換部（２０）と、第１熱交換部から流出した冷媒を減圧させる減圧部（１３、６２、６３）と、減圧部にて減圧された冷媒を低段側熱媒体と熱交換させて蒸発させる熱媒体蒸発器（１５）と、低段側熱媒体を循環させる低段側熱媒体循環回路（３０）に配置されて低段側熱媒体を加熱する発熱部（３４）と、発熱部にて加熱された低段側熱媒体を熱源として熱交換対象流体を加熱する第２熱交換部（３９）と、低段側熱媒体が熱媒体蒸発器に流入する流量および低段側熱媒体が第２熱交換部に流入する流量を調整する流量調整部（３５）と、流量調整部の作動を制御する流量制御部（５０ｃ）と、発熱部の発熱量を制御する発熱量制御部（５０ｂ）と、第１熱交換部から流出した冷媒と外気とを熱交換させる室外熱交換器（６１）と、を有し、
発熱量制御部は、第２熱交換部にて熱交換対象流体を冷却する冷却モードでは、発熱部における発熱を停止させるように発熱部の作動を制御し、
流量制御部は、第１熱交換部にて熱交換対象流体を加熱する第１加熱モードでは、発熱部にて加熱された低段側熱媒体を熱媒体蒸発器に流入させるように流量調整部の作動を制御し、第２熱交換部にて熱交換対象流体を加熱する第２加熱モードでは、発熱部にて加熱された低段側熱媒体を第２熱交換部に流入させるように流量調整部の作動を制御し、
冷却モードでは、熱媒体蒸発器にて冷却された低段側熱媒体を第２熱交換部に流入させるように流量調整部の作動を制御する。
【手続補正３】
【補正対象書類名】明細書
【補正対象項目名】００１０
【補正方法】変更
【補正の内容】
【００１０】
従って、発熱部の発熱が増加して、圧縮機から吐出される冷媒が不必要に上昇してしまうおそれのある運転条件時に、第１加熱モードから第２加熱モードへ切り替えることで、発熱部で発生させた熱を、熱交換対象流体を加熱するために有効に利用することができる。
また、請求項３に記載の冷凍サイクル装置は、冷媒を圧縮して吐出する圧縮機（１１）と、圧縮機から吐出された高圧冷媒を熱源として熱交換対象流体を加熱する第１熱交換部（２０）と、第１熱交換部から流出した冷媒を減圧させる減圧部（１３、６２、６３）と、減圧部にて減圧された冷媒を低段側熱媒体と熱交換させて蒸発させる熱媒体蒸発器（１５）と、低段側熱媒体を循環させる低段側熱媒体循環回路（３０）に配置されて低段側熱媒体を加熱する発熱部（３４）と、発熱部にて加熱された低段側熱媒体を熱源として熱交換対象流体を加熱する第２熱交換部（３９）と、低段側熱媒体が熱媒体蒸発器に流入する流量および低段側熱媒体が第２熱交換部に流入する流量を調整する流量調整部（３５）と、流量調整部の作動を制御する流量制御部（５０ｃ）と、減圧部にて減圧された冷媒を外気と熱交換させて蒸発させる外気蒸発部（１８）と、発熱部の発熱量を制御する発熱量制御部（５０ｂ）と、外気蒸発部において着霜が生じているか否か判定する着霜判定部（５０ｄ）と、を有し、
流量制御部は、第１熱交換部にて熱交換対象流体を加熱する第１加熱モードでは、発熱部にて加熱された低段側熱媒体を熱媒体蒸発器に流入させるように流量調整部の作動を制御し、第２熱交換部にて熱交換対象流体を加熱する第２加熱モードでは、発熱部にて加熱された低段側熱媒体を第２熱交換部に流入させるように流量調整部の作動を制御し、
発熱量制御部は、着霜判定部によって外気蒸発部における着霜が生じていると判定された場合に、発熱部における発熱量を増加させる。
これによれば、請求項１に記載の発明と同様の効果を得ることができる。
また、請求項４に記載の冷凍サイクル装置は、冷媒を圧縮して吐出する圧縮機（１１）と、圧縮機から吐出された高圧冷媒を熱源として熱交換対象流体を加熱する第１熱交換部（２０）と、第１熱交換部から流出した冷媒を減圧させる減圧部（１３、６２、６３）と、減圧部にて減圧された冷媒を低段側熱媒体と熱交換させて蒸発させる熱媒体蒸発器（１５）と、低段側熱媒体を循環させる低段側熱媒体循環回路（３０）に配置されて低段側熱媒体を加熱する発熱部（３４）と、発熱部にて加熱された低段側熱媒体を熱源として熱交換対象流体を加熱する第２熱交換部（３９）と、低段側熱媒体が熱媒体蒸発器に流入する流量および低段側熱媒体が第２熱交換部に流入する流量を調整する流量調整部（３５）と、流量調整部の作動を制御する流量制御部（５０ｃ）と、を有し、
第１熱交換部は、高段側熱媒体を循環させる高段側熱媒体循環回路（２１）と、高圧冷媒と高段側熱媒体と熱交換させる凝縮器（１２）と、高段側熱媒体と熱交換対象流体とを熱交換させるヒータコア（２３）と、を備えており、
さらに、減圧部にて減圧された冷媒を外気と熱交換させて蒸発させる外気蒸発部（１８）と、低段側熱媒体を高段側熱媒体循環回路へ導く接続流路（７１）と、接続流路を介して高段側熱媒体循環回路へ導入される低段側熱媒体の導入量を調整する導入量調整部（７３）と、導入量調整部の作動を制御する導入量制御部（５０ｅ）と、外気蒸発部において着霜が生じているか否かを判定する着霜判定部（５０ｄ）と、を有し、
流量制御部は、第１熱交換部にて熱交換対象流体を加熱する第１加熱モードでは、発熱部にて加熱された低段側熱媒体を熱媒体蒸発器に流入させるように流量調整部の作動を制御し、第２熱交換部にて熱交換対象流体を加熱する第２加熱モードでは、発熱部にて加熱された低段側熱媒体を第２熱交換部に流入させるように流量調整部の作動を制御し、
導入量調整部は、着霜判定部によって外気蒸発部において着霜が生じていると判定された場合に、導入量を増加させる。
これによれば、請求項１に記載の発明と同様の効果を得ることができる。
また、請求項７に記載の冷凍サイクル装置は、冷媒を圧縮して吐出する圧縮機（１１）と、圧縮機から吐出された高圧冷媒を熱源として熱交換対象流体を加熱する第１熱交換部（２０）と、第１熱交換部から流出した冷媒を減圧させる減圧部（１３、６２、６３）と、減圧部にて減圧された冷媒を低段側熱媒体と熱交換させて蒸発させる熱媒体蒸発器（１５）と、低段側熱媒体を循環させる低段側熱媒体循環回路（３０）に配置されて低段側熱媒体を加熱する発熱部（３４）と、発熱部にて加熱された低段側熱媒体を熱源として熱交換対象流体を加熱する第２熱交換部（３９）と、低段側熱媒体が熱媒体蒸発器に流入する流量および低段側熱媒体が第２熱交換部に流入する流量を調整する流量調整部（３５）と、流量調整部の作動を制御する流量制御部（５０ｃ）と、を有し、
流量制御部は、電力が供給されることによって作動する電磁弁であり、
流量調整部は、通電されていない場合に、低段側熱媒体の全量が第２熱交換部に流入するように構成されており、
流量制御部は、第１熱交換部にて熱交換対象流体を加熱する第１加熱モードでは、発熱部にて加熱された低段側熱媒体を熱媒体蒸発器に流入させるように流量調整部の作動を制御し、第２熱交換部にて熱交換対象流体を加熱する第２加熱モードでは、発熱部にて加熱された低段側熱媒体を第２熱交換部に流入させるように流量調整部の作動を制御する。
これによれば、請求項１に記載の発明と同様の効果を得ることができる。
【手続補正４】
【補正対象書類名】明細書
【補正対象項目名】００１１
【補正方法】変更
【補正の内容】
【００１１】
また、上記目的を達成するために、請求項１１に記載の冷凍サイクル装置は、冷媒を圧縮して吐出する圧縮機（１１）と、圧縮機から吐出された高圧冷媒と熱媒体とを熱交換させて熱媒体を加熱する凝縮器（１２）と、凝縮器から流出した冷媒を減圧させる減圧部（５５）と、減圧部にて減圧された冷媒を熱媒体と熱交換させて蒸発させる熱媒体蒸発器（１５）と、熱媒体を加熱する発熱部（３４）と、凝縮器にて加熱された熱媒体及び発熱部にて加熱された熱媒体の少なくとも一方を熱源として熱交換対象流体を加熱するヒータコア（２３）と、発熱部にて加熱された熱媒体が熱媒体蒸発器に流入する流量および発熱部にて加熱された熱媒体がヒータコアに流入する流量を調整する流量調整部（３５）と、流量調整部の作動を制御する流量制御部（５０ｃ）と、減圧部にて減圧された冷媒を外気と熱交換させて蒸発させる外気蒸発部（１８）と、外気蒸発部において着霜が生じているか否かを判定する着霜判定部（５０ｄ）と、を有し、
流量制御部は、凝縮器にて加熱された熱媒体を熱源として熱交換対象流体を加熱する冷凍サイクル加熱モードでは、発熱部にて加熱された熱媒体を熱媒体蒸発器に流入させるように流量調整部の作動を制御し、発熱部にて加熱された熱媒体を熱源として熱交換対象流体を加熱する熱源加熱モードでは、発熱部にて加熱された熱媒体をヒータコアに流入させるように流量調整部の作動を制御し、さらに着霜判定部によって外気蒸発部において着霜が生じていると判定された場合に、発熱部にて加熱された熱媒体のヒータコアへの流入量を増加させる。
【手続補正５】
【補正対象書類名】明細書
【補正対象項目名】００２０
【補正方法】変更
【補正の内容】
【００２０】
冷凍サイクル装置１０は、圧縮機１１、凝縮器１２、減圧弁１３（減圧部）、冷媒流路調整弁１４、熱媒体蒸発器１５、アキュムレータ１６（貯液部）を備えている。冷凍サイクル装置１０は、外気蒸発部１８、及び室外熱交換器用送風機１９を、更に有している。本実施形態の冷凍サイクル装置１０では、冷媒としてフロン系冷媒を用いており、高圧冷媒圧力が冷媒の臨界圧力を超えない亜臨界冷凍サイクルを構成している。
【手続補正６】
【補正対象書類名】明細書
【補正対象項目名】００３０
【補正方法】変更
【補正の内容】
【００３０】
冷媒流路調整弁１４は、減圧弁１３から流出した冷媒の流れを、外気蒸発部１８と熱媒体蒸発器１５に分岐させる。このため、外気蒸発部１８と熱媒体蒸発器１５は、冷媒流れに対して並列的に配置されている。冷媒流路調整弁１４は、減圧弁１３から流出した冷媒が外気蒸発部１８に流入する流量と、減圧弁１３から流出した冷媒が熱媒体蒸発器１５に流入する流量とを調整する流入量調整部である。冷媒流路調整弁１４は、三方弁であり、電力が供給されることによって作動する三方式の流量調整弁であり、制御装置５０から出力される制御信号によって、その作動が制御される。
【手続補正７】
【補正対象書類名】明細書
【補正対象項目名】００３１
【補正方法】変更
【補正の内容】
【００３１】
外気蒸発部１８の冷媒入り口側には、冷媒流路調整弁１４を介して、減圧弁１３の冷媒出口側が接続されている。外気蒸発部１８は、減圧弁１３にて減圧された低圧冷媒の有する熱と室外熱交換器用送風機１９によって送風された外気とを熱交換させることによって低圧冷媒を蒸発させる。外気蒸発部１８では、低圧冷媒が外気から吸熱して蒸発する。
【手続補正８】
【補正対象書類名】明細書
【補正対象項目名】００３２
【補正方法】変更
【補正の内容】
【００３２】
室外熱交換器用送風機１９は、ファンを電動モータにて駆動する電動送風機であり、制御装置５０から出力された制御信号によってその作動が制御される。外気蒸発部１８は、車両ボンネット内の前方側に配置されている。従って、車両の走行時には、外気蒸発部１８に走行風を当てることができるようになっている。
【手続補正９】
【補正対象書類名】明細書
【補正対象項目名】００５５
【補正方法】変更
【補正の内容】
【００５５】
制御装置５０の入力側には、内気温度センサ５１、外気温度センサ５２、及び日射量センサ５３、室外熱交換器温度センサ５４等の種々の制御用センサ群が接続されている。内気温度センサ５１は車室内温度Ｔｒを検出する。外気温度センサ５２は外気温Ｔａｍを検出する。日射量センサ５３は車室内の日射量Ｔｓを検出する。室外熱交換器温度センサ５４は、外気蒸発部１８内を流通する冷媒の温度を検出する。
【手続補正１０】
【補正対象書類名】明細書
【補正対象項目名】００５６
【補正方法】変更
【補正の内容】
【００５６】
制御装置５０は、外気蒸発部１８に着霜が生じているか否か、或いは、外気蒸発部１８に着霜が生じ得る運転条件になっているか否か（以下、単に外気蒸発部１８に着霜が生じていると略す）を判定する着霜判定部５０ｄを有している。着霜判定部５０ｄは、例えば、室外熱交換器温度センサ５４によって検出された、外気蒸発部１８内を流通する冷媒の温度に基づいて、外気蒸発部１８における冷媒蒸発温度が、予め定めた基準温度以下になった時に、外気蒸発部１８に着霜が生じていると判定する。
【手続補正１１】
【補正対象書類名】明細書
【補正対象項目名】００６４
【補正方法】変更
【補正の内容】
【００６４】
減圧弁１３にて減圧された低圧冷媒は、熱媒体蒸発器１５及び外気蒸発部１８へ流入する。熱媒体蒸発器１５へ流入した低圧冷媒は、低段側熱媒体循環回路３０内を循環する冷却水から吸熱して蒸発する。これにより、低段側熱媒体循環回路３０内を循環する冷却水が冷却される。また、外気蒸発部１８へ流入した低圧冷媒は、外気から吸熱して蒸発する。
【手続補正１２】
【補正対象書類名】明細書
【補正対象項目名】００８１
【補正方法】変更
【補正の内容】
【００８１】
減圧弁１３にて減圧された低圧冷媒は、熱媒体蒸発器１５及び外気蒸発部１８へ流入する。熱媒体蒸発器１５へ流入した低圧冷媒は、低段側熱媒体循環回路３０内を循環する冷却水から吸熱して蒸発する。これにより、低段側熱媒体循環回路３０内を循環する冷却水が冷却される。また、外気蒸発部１８へ流入した低圧冷媒は、外気から吸熱して蒸発する。
【手続補正１３】
【補正対象書類名】明細書
【補正対象項目名】００８７
【補正方法】変更
【補正の内容】
【００８７】
（除霜運転モード）
第１加熱モード又は第３加熱モードが実行されている場合において、制御装置５０の着霜判定部５０ｄが外気蒸発部１８に着霜が生じたと判定した場合には、以下に示す除霜運転モードが実行される。
【手続補正１４】
【補正対象書類名】明細書
【補正対象項目名】００８８
【補正方法】変更
【補正の内容】
【００８８】
発熱量制御部５０ｂは、発熱装置３４の発熱量を増加させて、熱媒体蒸発器１５に流入する冷却水の熱量を増加させる。これにより、熱媒体蒸発器１５において、冷媒が冷却水から吸熱する吸熱量が増加して、冷媒温度が上昇し、外気蒸発部１８において霜が溶解し、着霜が抑制される。
【手続補正１５】
【補正対象書類名】明細書
【補正対象項目名】００８９
【補正方法】変更
【補正の内容】
【００８９】
また、流量制御部５０ｃは、圧縮機１１の回転数を低下させて、圧縮機１１の吐出能力を低下させる。これにより、外気蒸発部１８における冷媒の外気からの吸熱量が低下し、外気蒸発部１８における着霜が抑制される。上述したように、熱媒体蒸発器１５において、冷媒が冷却水から吸熱する吸熱量が増加して、冷媒温度が上昇するので、圧縮機１１の吐出能力の低下に伴う高圧冷媒の圧力の低下が抑制され、除霜運転モード時における、空調装置１の暖房能力の低下が抑制される。
【手続補正１６】
【補正対象書類名】明細書
【補正対象項目名】０１０２
【補正方法】変更
【補正の内容】
【０１０２】
また、発熱量制御部５０ｂは、着霜判定部５０ｄによって外気蒸発部１８における着霜が判定された場合に、発熱装置３４における発熱量を増加させる。これにより、熱媒体蒸発器１５において、冷媒が冷却水から吸熱する吸熱量が増加して、冷媒温度が上昇し、外気蒸発部１８において霜を溶解させることができ、外気蒸発部１８における着霜を抑制することができる。
【手続補正１７】
【補正対象書類名】明細書
【補正対象項目名】０１０３
【補正方法】変更
【補正の内容】
【０１０３】
また、制御装置５０は、着霜判定部５０ｄによって外気蒸発部１８における着霜が判定された場合に、圧縮機１１の回転数を低下させる。これにより、外気蒸発部１８における冷媒の外気からの吸熱量が低下し、外気蒸発部１８における着霜を抑制することができる。
【手続補正１８】
【補正対象書類名】明細書
【補正対象項目名】０１０８
【補正方法】変更
【補正の内容】
【０１０８】
第１減圧弁５５及び第２減圧弁５６は、凝縮器１２から流出した液相冷媒を減圧膨張させる減圧部である。つまり、第１減圧弁５５及び第２減圧弁５６は凝縮器１２の下流側の冷媒を減圧させる。第１減圧弁５５によって減圧された低圧冷媒は、熱媒体蒸発器１５に流入する。第２減圧弁５６によって減圧された低圧冷媒は、外気蒸発部１８に流入する。
【手続補正１９】
【補正対象書類名】明細書
【補正対象項目名】０１２１
【補正方法】変更
【補正の内容】
【０１２１】
第２減圧弁５６にて減圧されて低圧冷媒は、外気蒸発部１８へ流入する。外気蒸発部１８へ流入した低圧冷媒は、外気から吸熱して蒸発する。
【手続補正２０】
【補正対象書類名】明細書
【補正対象項目名】０１３８
【補正方法】変更
【補正の内容】
【０１３８】
第２減圧弁５６にて減圧されて低圧冷媒は、外気蒸発部１８へ流入する。外気蒸発部１８へ流入した低圧冷媒は、外気から吸熱して蒸発する。
【手続補正２１】
【補正対象書類名】明細書
【補正対象項目名】０１４４
【補正方法】変更
【補正の内容】
【０１４４】
（除霜運転モード）
冷凍サイクル加熱モード又は冷凍サイクル熱源加熱モードが実行されている場合において、制御装置５０の着霜判定部５０ｄが外気蒸発部１８に着霜が生じたと判定した場合には、以下に示す除霜運転モードが実行される。
【手続補正２２】
【補正対象書類名】明細書
【補正対象項目名】０１４５
【補正方法】変更
【補正の内容】
【０１４５】
吐出能力制御部５０ａは、圧縮機１１の回転数を低下させて、圧縮機１１の吐出能力を低下させる。これにより、外気蒸発部１８における冷媒の外気からの吸熱量が低下し、外気蒸発部１８における着霜が抑制される。
【手続補正２３】
【補正対象書類名】明細書
【補正対象項目名】０１５２
【補正方法】変更
【補正の内容】
【０１５２】
また、流量制御部５０ｃは、着霜判定部５０ｄによって外気蒸発部１８において着霜が生じていると判定された場合に、発熱装置３４にて加熱された冷却水のヒータコア２３への流入量が増加するように流量調整弁３５を制御する。
【手続補正２４】
【補正対象書類名】明細書
【補正対象項目名】０１５３
【補正方法】変更
【補正の内容】
【０１５３】
これにより、外気蒸発部１８において除霜するために、圧縮機１１を吐出能力を低下させることに起因して、凝縮器１２における冷却水への放熱量が低下したとしても、ヒータコア２３に流入する冷却水の温度の低下が抑制され、空調装置３の暖房能力を維持することができる。
【手続補正２５】
【補正対象書類名】明細書
【補正対象項目名】０１５５
【補正方法】変更
【補正の内容】
【０１５５】
（第４実施形態）
以下に、図５を用いて、第４実施形態の空調装置４について、第１実施形態の空調装置１と異なる点について説明する。第４実施形態の空調装置４は、第１実施形態の空調装置１に対して、室外熱交換器６１、第１減圧弁６２、第２減圧弁６３、及び室外熱交換器用送風機６４を追加し、冷媒流路調整弁１４、外気蒸発部１８、及び室外熱交換器用送風機１９を廃止している。
【手続補正２６】
【補正対象書類名】明細書
【補正対象項目名】０１６３
【補正方法】変更
【補正の内容】
【０１６３】
制御装置５０は、制御用センサ群によって検出された検出信号及び操作部６０からの操作信号に基づいて、車室内へ送風させる送風空気の目標吹出温度ＴＡＯを算出するとともに、空調装置１の運転モードを、第１加熱モード〜第３加熱モード、除霜運転モード、冷却モードとしての冷房モードのいずれかを決定する。
【手続補正２７】
【補正対象書類名】明細書
【補正対象項目名】０１７６
【補正方法】変更
【補正の内容】
【０１７６】
第１接続流路７１は、流量調整弁３５の下流側の第２熱交換部流路３８と、ヒータコア２３の上流側の高段側熱媒体循環回路２１とを接続している。第１接続流路７１は、低段側熱媒体循環回路３０の冷却水を高段側熱媒体循環回路２１へ導く流路である。
【手続補正２８】
【補正対象書類名】明細書
【補正対象項目名】０１８２
【補正方法】変更
【補正の内容】
【０１８２】
（除霜運転モード）
第１加熱モード又は第３加熱モードが実行されている場合において、制御装置５０の着霜判定部５０ｄが外気蒸発部１８に着霜が生じたと判定した場合には、以下に示す除霜運転モードが実行される。
【手続補正２９】
【補正対象書類名】明細書
【補正対象項目名】０１８５
【補正方法】変更
【補正の内容】
【０１８５】
以上説明したように、着霜判定部５０ｄによって外気蒸発部１８において着霜が生じていると判定された場合に、吐出能力制御部５０ａは、圧縮機１１の回転数を低下させて、圧縮機１１の吐出能力を低下させる。これにより、外気蒸発部１８における冷媒の外気からの吸熱量が低下し、外気蒸発部１８における着霜が抑制される。
【手続補正３０】
【補正対象書類名】明細書
【補正対象項目名】０１８６
【補正方法】変更
【補正の内容】
【０１８６】
また、導入量制御部５０ｅは、着霜判定部５０ｄによって外気蒸発部１８において着霜が生じていると判定された場合に、発熱装置３４にて加熱された冷却水のヒータコア２３への流入量が増加するように導入量調整弁７３を制御する。
【手続補正３１】
【補正対象書類名】明細書
【補正対象項目名】０１８７
【補正方法】変更
【補正の内容】
【０１８７】
これにより、外気蒸発部１８において除霜するために、圧縮機１１を吐出能力を低下させることに起因して、凝縮器１２における冷却水への放熱量が低下したとしても、ヒータコア２３に流入する冷却水の温度の低下が抑制され、空調装置３の暖房能力を維持することができる。
【手続補正３２】
【補正対象書類名】明細書
【補正対象項目名】０１９３
【補正方法】変更
【補正の内容】
【０１９３】
（５）着霜判定部５０ｄは、例えば、外気温度センサ５２によって検出された外気温Ｔａｍが０℃以下となっており、更に、外気温Ｔａｍから室外熱交換器温度センサ５４によって検出された外気蒸発部１８の温度を減算した値が予め定めた基準温度差以上となっている場合に、外気蒸発部１８に着霜が生じていると判定する実施形態であっても良い。
【手続補正３３】
【補正対象書類名】明細書
【補正対象項目名】０１９４
【補正方法】変更
【補正の内容】
【０１９４】
（６）以上説明した第１実施形態の空調装置１、第２実施形態の空調装置２、第３実施形態の空調装置３、第５実施形態の空調装置５から、冷媒流路調整弁１４、外気蒸発部１８、及び室外熱交換器用送風機１９を廃止した実施形態でも良い。第４実施形態の空調装置４に対して第５実施形態の空調装置５で説明した、第１接続流路７１、第２接続流路７２、及び導入量調整弁７３を追加してもよい。
【手続補正３４】
【補正対象書類名】明細書
【補正対象項目名】０１９６
【補正方法】変更
【補正の内容】
【０１９６】
（８）第４実施形態の空調装置４において、冷媒流路調整弁１４及び外気蒸発部１８を追加し、第１実施形態の空調装置１で説明した除霜運転モードを実行しても良い。
【手続補正３５】
【補正対象書類名】明細書
【補正対象項目名】０１９７
【補正方法】変更
【補正の内容】
【０１９７】
１０    冷凍サイクル装置
１１    圧縮機
１３    減圧弁（減圧部）
１５    熱媒体蒸発器
２０    第１熱交換部
２３    ヒータコア
３０    低段側熱媒体循環回路
３４    発熱部
３５    流量調整弁（流量調整部）
３９    第２熱交換部
５０    制御部
５０ｂ  発熱量制御部
５０ｃ  流量制御部